(57)【要約】【課題】利用者の利便性に優れ、利用者が所望の画像を選択するまでに要する時間を短縮することができる画像出力装置および画像表示方法、ならびに画像表示プログラムを提供する。【解決手段】記録媒体５から画像データ読取部１１によって画像データが読取られると、読取られた画像データが表す画像の一覧を含む画像選択画面が入力兼表示部１５に表示される。画像選択画面が表示されている状態で、その画像選択画面内における画像の一覧の表示形態とは異なる表示形態が入力兼表示部１５によって指定されると、画像選択画面内における画像の一覧の表示形態を、指定された表示形態に変更するように、制御部２０によって入力兼表示部１５が制御される。これによって、変更された表示形態で表示される画像の一覧の中の画像を入力兼表示部１５で利用者に選択させることが可能となる。【選択図】図１
2014089655.tif 000002
【特許請求の範囲】
【請求項１】
画像データを取得する取得手段と、
前記取得手段によって取得された前記画像データが表す画像の一覧を含む画像選択画面を表示する表示手段と、
前記表示手段によって前記画像選択画面が表示されている状態で、前記画像選択画面に含まれる前記画像の一覧の中の画像を利用者に選択させる選択手段と、
前記表示手段によって前記画像選択画面が表示されている状態で、前記画像選択画面内における前記画像の一覧の表示形態を利用者に指定させる指定手段と、
前記選択手段によって選択された画像の前記画像データが表す画像を出力媒体に出力する出力手段と、
前記表示手段を制御する制御手段とを備え、
前記制御手段は、
前記表示手段によって前記画像選択画面が表示されている状態で、前記画像選択画面内における前記画像の一覧の表示形態とは異なる表示形態が前記指定手段によって指定されると、前記画像選択画面内における前記画像の一覧の表示形態を、前記指定手段で指定された表示形態に変更するように前記表示手段を制御することによって、変更された表示形態で表示される前記画像の一覧の中の画像を前記選択手段によって利用者に選択させることを可能とすることを特徴とする画像出力装置。
【請求項２】
前記制御手段は、
前記選択手段によって画像が選択された場合に、前記表示手段によって前記画像選択画面が表示されている状態で、前記画像選択画面内における前記画像の一覧の表示形態とは異なる表示形態が前記指定手段によって指定されると、前記画像選択画面内における前記画像の一覧の表示形態を、前記指定手段で指定された表示形態に変更するとともに、前記選択手段によって選択された画像を前記画像選択画面の中央部に表示するように、前記表示手段を制御することを特徴とする請求項１に記載の画像出力装置。
【請求項３】
前記画像の一覧の表示形態は、前記画像が表示される個数、各前記画像のサイズ、および前記画像の表示される順序の少なくとも１つであることを特徴とする請求項１または２に記載の画像出力装置。
【請求項４】
画像データを取得する取得工程と、
前記取得工程で取得された前記画像データが表す画像の一覧を含む画像選択画面を表示手段に表示する表示工程と、
前記表示工程で前記表示手段によって前記画像選択画面が表示されている状態で、前記画像選択画面に含まれる前記画像の一覧の中の画像を利用者に選択させる選択工程と、
前記表示工程で前記表示手段によって前記画像選択画面が表示されている状態で、前記画像選択画面内における前記画像の一覧の表示形態を利用者に指定させる指定工程とを備え、
前記表示工程では、
前記表示手段によって前記画像選択画面が表示されている状態で、前記画像選択画面内における前記画像の一覧の表示形態とは異なる表示形態が前記指定工程で指定されると、前記画像選択画面内における前記画像の一覧の表示形態を、前記指定工程で指定された表示形態に変更するように前記表示手段を制御することによって、変更された表示形態で表示される前記画像の一覧の中の画像を前記選択工程で利用者に選択させることを可能とすることを特徴とする画像表示方法。
【請求項５】
前記表示工程では、
前記選択工程で画像が選択された場合に、前記表示手段によって前記画像選択画面が表示されている状態で、前記画像選択画面内における前記画像の一覧の表示形態とは異なる表示形態が前記指定工程で指定されると、前記画像選択画面内における前記画像の一覧の表示形態を、前記指定工程で指定された表示形態に変更するとともに、前記選択工程で選択された画像を前記画像選択画面の中央部に表示するように、前記表示手段を制御することを特徴とする請求項４に記載の画像表示方法。
【請求項６】
前記画像の一覧の表示形態は、前記画像が表示される個数、各前記画像のサイズ、および前記画像の表示される順序の少なくとも１つであることを特徴とする請求項４または５に記載の画像表示方法。
【請求項７】
コンピュータを、
画像データを取得する取得手段、
前記取得手段によって取得された前記画像データが表す画像の一覧を含む画像選択画面を表示する表示手段、
前記表示手段によって前記画像選択画面が表示されている状態で、前記画像選択画面に含まれる前記画像の一覧の中の画像を利用者に選択させる選択手段、
前記表示手段によって前記画像選択画面が表示されている状態で、前記画像選択画面内における前記画像の一覧の表示形態を利用者に指定させる指定手段、および、
前記表示手段を制御する制御手段であって、前記表示手段によって前記画像選択画面が表示されている状態で、前記画像選択画面内における前記画像の一覧の表示形態とは異なる表示形態が前記指定手段によって指定されると、前記画像選択画面内における前記画像の一覧の表示形態を、前記指定手段で指定された表示形態に変更するように前記表示手段を制御することによって、変更された表示形態で表示される前記画像の一覧の中の画像を前記選択手段によって利用者に選択させることを可能とする制御手段として機能させることを特徴とする画像表示プログラム。
【発明の詳細な説明】
【技術分野】
【０００１】
本発明は、たとえば、記録媒体に記録された画像データに基づいて画像を出力する画像出力装置、前記画像出力装置における画像表示方法、および画像表示プログラムに関する。
【背景技術】
【０００２】
デジタルカメラまたはカメラ機能付携帯電話機などで撮影された画像は、たとえば記録媒体に画像データとして記録される。この記録媒体に記録された画像データを読取り、画像の編集などを行った後、画像を出力する画像出力装置がある。画像出力装置は、写真店舗および街頭に加え、家電量販店などにも設置され、利用されている。
【０００３】
画像出力装置は、画像データが記録された記録媒体が利用者によって挿入されると、記録媒体に記録された画像データを読取り、読取った画像データを示す画像を表示画面に表示する。利用者は、表示画面に表示された画像の中から、所望の画像を選択し、選択した画像に対して編集、合成および印刷などを行う指示を画像出力装置に与える。画像出力装置は、利用者からの指示に応じて、利用者によって選択された画像の編集、合成および印刷などを行う。
【０００４】
記録媒体の記録容量の大容量化に伴い、記録媒体に記録できる画像データの数が増えたことによって、記録媒体から読取られ、画像出力装置の表示画面に表示される画像の数が多くなってきている。これによって、利用者が、表示画面に表示された画像の中から所望の画像を探して選択するまでに要する時間が長くなるので、利用者１人あたりが画像出力装置を占有する時間が長くなるという問題がある。
【０００５】
この問題を解決する技術は、たとえば特許文献１に開示されている。特許文献１に開示される画像出力装置では、画像の表示条件を利用者によって指定可能として、画像データの表示処理および選択処理を迅速化することによって、操作性の向上を図っている。
【先行技術文献】
【特許文献】
【０００６】
【特許文献１】特開２００５−１１９０８３号公報
【発明の概要】
【発明が解決しようとする課題】
【０００７】
前述の特許文献１に開示される画像出力装置は、画像の表示条件を指定する画面（以下「条件指定画面」という）と、画像を選択する画面（以下「画像選択画面」という）とを切り替えて表示するように構成されている。
【０００８】
利用者は、条件指定画面で画像の表示条件を指定した後、切り替わった画像選択画面に表示された画像の中に所望の画像が無い場合には、条件指定画面に戻り、表示条件を再度指定する必要がある。したがって、利用者は、所望の画像が表示されるまで、条件指定画面と画像選択画面との間で、何度も画面遷移を行わなければならない場合があり、利用者にとって、利便性が悪いという問題がある。
【０００９】
また、条件指定画面と画像選択画面との間で画面遷移が行われることで、表示条件が再度指定される前の画像選択画面と、表示条件が再度指定された後の画像選択画面との関係性が、利用者にとって分かりにくくなる。具体的には、表示条件が再度指定された後の画像選択画面では、表示条件に基づいて新たに追加された画像を含む複数の画像が、表示条件毎に予め定められた画像の表示順に従って表示されるので、新たに追加された画像が、どの画像であるのかが利用者にとって分かりにくくなる。したがって、利用者は、画像選択画面に表示された全ての画像の中から、改めて、所望の画像を探さなければならなくなる。
【００１０】
このように特許文献１に開示される画像出力装置では、利用者の操作に連続性がないので、所望の画像を選択するまでに要する時間が長くなる。したがって、利用者１人あたりの画像出力装置の占有時間を短縮することができないという問題がある。
【００１１】
本発明の目的は、利用者の利便性に優れ、利用者が所望の画像を選択するまでに要する時間を短縮することができる画像出力装置および画像表示方法、ならびに画像表示プログラムを提供することである。
【課題を解決するための手段】
【００１２】
本発明の画像出力装置は、画像データを取得する取得手段と、前記取得手段によって取得された前記画像データが表す画像の一覧を含む画像選択画面を表示する表示手段と、前記表示手段によって前記画像選択画面が表示されている状態で、前記画像選択画面に含まれる前記画像の一覧の中の画像を利用者に選択させる選択手段と、前記表示手段によって前記画像選択画面が表示されている状態で、前記画像選択画面内における前記画像の一覧の表示形態を利用者に指定させる指定手段と、前記選択手段によって選択された画像の前記画像データが表す画像を出力媒体に出力する出力手段と、前記表示手段を制御する制御手段とを備え、前記制御手段は、前記表示手段によって前記画像選択画面が表示されている状態で、前記画像選択画面内における前記画像の一覧の表示形態とは異なる表示形態が前記指定手段によって指定されると、前記画像選択画面内における前記画像の一覧の表示形態を、前記指定手段で指定された表示形態に変更するように前記表示手段を制御することによって、変更された表示形態で表示される前記画像の一覧の中の画像を前記選択手段によって利用者に選択させることを可能とすることを特徴とする。
【００１３】
本発明の画像表示方法は、画像データを取得する取得工程と、前記取得工程で取得された前記画像データが表す画像の一覧を含む画像選択画面を表示手段に表示する表示工程と、前記表示工程で前記表示手段によって前記画像選択画面が表示されている状態で、前記画像選択画面に含まれる前記画像の一覧の中の画像を利用者に選択させる選択工程と、前記表示工程で前記表示手段によって前記画像選択画面が表示されている状態で、前記画像選択画面内における前記画像の一覧の表示形態を利用者に指定させる指定工程とを備え、前記表示工程では、前記表示手段によって前記画像選択画面が表示されている状態で、前記画像選択画面内における前記画像の一覧の表示形態とは異なる表示形態が前記指定工程で指定されると、前記画像選択画面内における前記画像の一覧の表示形態を、前記指定工程で指定された表示形態に変更するように前記表示手段を制御することによって、変更された表示形態で表示される前記画像の一覧の中の画像を前記選択工程で利用者に選択させることを可能とすることを特徴とする。
【００１４】
本発明の画像表示プログラムは、画像データを取得する取得手段、前記取得手段によって取得された前記画像データが表す画像の一覧を含む画像選択画面を表示する表示手段、前記表示手段によって前記画像選択画面が表示されている状態で、前記画像選択画面に含まれる前記画像の一覧の中の画像を利用者に選択させる選択手段、前記表示手段によって前記画像選択画面が表示されている状態で、前記画像選択画面内における前記画像の一覧の表示形態を利用者に指定させる指定手段、および、前記表示手段を制御する制御手段であって、前記表示手段によって前記画像選択画面が表示されている状態で、前記画像選択画面内における前記画像の一覧の表示形態とは異なる表示形態が前記指定手段によって指定されると、前記画像選択画面内における前記画像の一覧の表示形態を、前記指定手段で指定された表示形態に変更するように前記表示手段を制御することによって、変更された表示形態で表示される前記画像の一覧の中の画像を前記選択手段によって利用者に選択させることを可能とする制御手段として機能させることを特徴とする。
【発明の効果】
【００１５】
本発明の画像出力装置によれば、表示手段によって画像選択画面が表示されている状態で、その画像選択画面内における画像の一覧の表示形態とは異なる表示形態が指定手段によって指定されると、画像選択画面内における画像の一覧の表示形態が、指定手段で指定された表示形態に変更される。これによって、変更された表示形態で表示される画像の一覧の中の画像を選択手段によって利用者に選択させることが可能になるので、利用者は、画面遷移を行わせることなく、所望の画像を選択することができる。したがって、利用者の利便性に優れ、利用者が所望の画像を選択するまでに要する時間を短縮することができる画像出力装置を実現することができる。
【００１６】
本発明の画像表示方法によれば、表示手段によって画像選択画面が表示されている状態で、その画像選択画面内における画像の一覧の表示形態とは異なる表示形態が指定工程で指定されると、画像選択画面内における画像の一覧の表示形態が、指定工程で指定された表示形態に変更される。これによって、変更された表示形態で表示される画像の一覧の中の画像を選択工程で利用者に選択させることが可能になるので、利用者は、画面遷移を行わせることなく、所望の画像を選択することができる。したがって、利用者の利便性を向上させることができ、利用者が所望の画像を選択するまでに要する時間を短縮することができる。
【００１７】
本発明の画像表示プログラムによれば、前述した取得手段、表示手段、選択手段、指定手段および制御手段としての各機能をコンピュータによって実現させることができる。これによって、変更された表示形態で表示される画像の一覧の中の画像を利用者に選択させることが可能になるので、利用者は、画面遷移を行わせることなく、所望の画像を選択することができる。したがって、利用者の利便性を向上させることができ、利用者が所望の画像を選択するまでに要する時間を短縮することができる。
【図面の簡単な説明】
【００１８】
【図１】本発明の実施の一形態である画像出力装置１の構成を示すブロック図である。
【図２】画像出力装置１における画像出力処理の処理手順を示すフローチャートである。
【図３】画像出力装置１における画像出力処理の処理手順を示すフローチャートである。
【図４】画像出力装置１における画像出力処理の処理手順を示すフローチャートである。
【図５】画像出力装置１における画像出力処理の処理手順を示すフローチャートである。
【図６】画像選択画面３０の一例を示す図である。
【図７】画像選択画面３０の画像選択領域３３に表示された画像の画像表示数を変更する動作の一例を示す図である。
【図８】図７においてピンチアウト操作が行われた後の画像選択画面３０の状態を示す図である。
【図９】図８においてピンチアウト操作が行われた後の画像選択画面３０の状態を示す図である。
【発明を実施するための形態】
【００１９】
図１は、本発明の実施の一形態である画像出力装置１の構成を示すブロック図である。画像出力装置１は、画像データ受付端末装置（以下「受付端末」という）２と、プリンタ３とを備えて構成される。
【００２０】
受付端末２は、画像データ読取部１１、記憶部１２、印刷データ作成部１３、印刷データ送信部１４、入力兼表示部１５、音声再生部１６、課金部１７、位置検出部１８、通信部１９、および制御部２０を備えて構成される。
【００２１】
受付端末２は、記録媒体５から画像データを読取り可能に構成される。記録媒体５には、たとえば、デジタルカメラ、または携帯電話機に搭載されるカメラなどによって撮影された画像を表す画像データが記録されている。
【００２２】
受付端末２は、記録媒体５から画像データを読取ると、読取った画像データに基づいて、入力兼表示部１５の表示画面に画像を表示し、利用者に画像を選択させる。受付端末２は、利用者によって選択された画像の画像データをプリンタ３に与える。プリンタ３は、受付端末２から与えられた画像データに基づいて、出力媒体、たとえば写真用の記録紙に印刷を行う。すなわち、プリンタ３は、利用者によって選択された画像の画像データが表す画像を、出力媒体である写真用の記録紙などに出力する。これによって、写真４が形成される。
【００２３】
受付端末２には、複数のプリンタ３−１，３−２，・・・，３−ｎ（ｎは自然数）が接続可能である。受付端末２に複数のプリンタ３−１，３−２，・・・，３−ｎが接続されている場合は、各プリンタ３−１，３−２，・・・，３−ｎから写真４が出力される。したがって、複数の写真４−１，４−２，・・・，４−ｎ（ｎは自然数）が得られる。
【００２４】
プリンタ３は、高解像度のカラープリンタである。プリンタ３は、たとえば昇華型プリンタまたはインクジェットプリンタによって構成される。プリンタ３は、これらに限定されず、他の印刷方式のプリンタ、たとえば電子写真方式のプリンタで構成されてもよい。プリンタ３は、出力手段に相当する。
【００２５】
また、プリンタ３によって印刷される写真４の大きさは、Ｌ判サイズでもよいし、はがきサイズおよび２Ｌ判サイズなどの比較的大きなサイズでもよい。また写真４は、シールプリントでもよい。
【００２６】
画像データ読取部１１は、記録媒体５に記録されている画像データを読取る。記録媒体５は、たとえば、ＳＤ（Secure Digital）メモリカード、コンパクトフラッシュ（登録商標）カード、ｘＤピクチャーカード、メモリースティックおよびスマートメディアなどのカード状記録媒体でもよいし、ＣＤ（Compact Disc）、ＤＶＤ（Digital Versatile Disc）およびＢＤ（Blu-ray Disk）などの光ディスク状記録媒体でもよいし、ＵＳＢ（Universal Serial Bus）メモリでもよい。
【００２７】
画像データ読取部１１は、ＳＤメモリカードなどのカード状記録媒体に記録された画像データを読取るカードリーダと、ＣＤ、ＤＶＤおよびＢＤなどの光ディスク状記録媒体に記録された画像データを読取るディスクドライブと、ＵＳＢメモリに記録された画像データを読取るＵＳＢポートとを含んで構成される。
【００２８】
また画像データ読取部１１は、無線通信によって画像データを受信する無線通信装置を含む。無線通信装置は、赤外線通信によって画像データを受信する赤外線通信装置と、ブルートゥース（Bluetooth（登録商標））を用いた無線通信によって画像データを受信するブルートゥース装置と、Ｗｉ−Ｆｉ（Wireless Fidelity（登録商標））を用いた無線通信によって画像データを受信するＷｉ−Ｆｉ接続モジュールとを含む。
【００２９】
赤外線通信装置は、赤外線通信が可能な通信装置、たとえば携帯電話機から、赤外線通信によって画像データを受信する。Ｗｉ−Ｆｉ接続モジュールは、Ｗｉ−Ｆｉを用いた無線通信が可能な通信装置、たとえばスマートフォンとデータ通信を行い、画像データを受信する。また画像データ読取部１１は、有線通信可能な通信装置、たとえばスマートフォンと直接に接続してデータ通信を行うケーブルを含む。
【００３０】
また画像データ読取部１１は、スキャナ装置を含む。スキャナ装置は、画像が形成された記録紙などを直接に読取り、読取った画像を表す画像データを生成する。以下の説明では、特に断らない限り、「画像データを読取る」とは、画像データを生成することを含む。画像データ読取部１１は、読取った画像データを記憶部１２に与える。画像データ読取部１１は、取得手段に相当する。
【００３１】
記憶部１２は、画像データ読取部１１によって読取られた画像データ２１を記憶する。また記憶部１２は、予め、定義データ２２および画質調整データ２３を記憶する。画質調整データ２３は、プリンタ３によって印刷される写真４の色味および質感などの画質を調整するときに用いられるデータである。
【００３２】
定義データ２２は、入力兼表示部１５の表示画面に表示される背景画像および音声出力部１６から出力される音声ガイダンスなどの設定データと、スタンプおよびフレームなどの素材データと、画像出力装置１の写真の販売金額を設定している料金設定データとを含む。
【００３３】
また、定義データ２２は、後述する位置検出部１８によって検出される位置を表す位置情報のデータと、前述の設定データ、画質調整データ２３および料金設定データとを対応させる関連データを含む。関連データは、後述する位置検出部１８によって検出される位置を表す位置情報、たとえば緯度および経度と、その位置情報で表される位置が属する地域で使用すべき背景画像および音声ガイダンスなどを表す設定情報、写真４の色味および質感などの画質を表す画質情報、および画像出力装置１の写真の販売金額とを関連付けたデータである。
【００３４】
記憶部１２は、たとえば、ハードディスクドライブ（Hard Disk Drive；略称：ＨＤＤ）装置によって構成される。記憶部１２は、受付端末２を構成する画像データ読取部１１、印刷データ作成部１３、印刷データ送信部１４、入力兼表示部１５、音声再生部１６、課金部１７、位置検出部１８、および通信部１９を制御する制御プログラムを記憶する。
【００３５】
制御プログラムは、たとえば、記録媒体５に記録された画像データを読取り、記憶部１２に一時的に記憶するプログラムと、入力兼表示部１５の表示画面に画像を表示する制御を行うプログラムと、画像の編集および画像の加工を行うプログラムと、利用者の印刷注文情報を記憶するプログラムと、印刷する画像の画像データをプリンタ３に送信するプログラムと、データサーバ６との間でデータの送受信を行うプログラムとを含む。
【００３６】
印刷データ作成部１３は、記憶部１２に記憶される画像データ２１に基づいて、印刷用のデータ（以下「印刷データ」という場合がある）を作成する。印刷データ作成部１３は、利用者によって選択された画像を表す画像データに対して、落書き、スタンプ、フレームなどの加工を施す加工処理と、画像の拡大または縮小、回転、トリミングなどの画像の編集処理とを行う。画像の編集処理では、印刷データ作成部１３は、記憶部１２に記憶される定義データ２２に含まれるスタンプおよびフレームなどの素材データを用いる。
【００３７】
加工処理は、利用者によって入力兼表示部１５を介して画像の加工が指示された場合に実行される。同様に、編集処理は、利用者によって入力兼表示部１５を介して画像の編集が指示された場合に実行される。
【００３８】
印刷データ送信部１４は、印刷データ作成部１２によって作成された印刷データを、プリンタ３が取扱い可能なデータに変換し、プリンタ３に送信する。
【００３９】
入力兼表示部１５は、利用者の操作を受付ける入力部としての機能と、利用者に情報を提供する表示部としての機能とを兼ね備える。入力兼表示部１５は、たとえばタッチ検出機能付き表示パネルであるタッチパネルによって構成される。入力兼表示部１５を構成するタッチパネルは、たとえば、入力部として機能する操作パネルと、表示部として機能するＣＲＴ（Cathode Ray Tube）または液晶パネルなどの表示装置とが一体化されて構成される。タッチパネルは、マルチタッチ対応のタッチパネルであってもよい。
【００４０】
入力兼表示部１５の操作パネルは、利用者が数字情報、文字情報および受付端末２への指示情報などの情報を入力するときに操作される。利用者によって入力兼表示部１５の操作パネルが操作されると、入力兼表示部１５は、利用者の操作に応じた指示を表す指示信号を生成して、制御部２０に与える。
【００４１】
入力兼表示部１５は、画像データ読取部１１によって読取られた画像データを示す画像を表示画面に表示する。利用者は、入力兼表示部１５の表示画面に表示された画像の中から、所望の画像を選択する。入力兼表示部１５は、利用者によって操作パネルが操作されていないとき、表示画面にスクリーンセーバを表示する。入力兼表示部１５に代えて、入力部と表示部とが個別に設けられてもよい。入力兼表示部１５は、選択手段、指定手段および表示手段に相当する。
【００４２】
音声出力部１６は、利用者が印刷を所望する画像を選択するとき、および利用者が受付端末２を操作するときに、音声ガイダンスを出力する。音声出力部１６は、プリンタ３によって画像を印刷しているときに、バックグラウンドミュージック（ＢＧＭ）を出力する。また音声出力部１６は、利用者によって受付端末２が操作されていないとき、自装置１の周辺の通行人に向けて、自装置１の機能などを通知する音声メッセージを出力する。音声出力部１６は、たとえばスピーカによって構成される。
【００４３】
課金部１７は、利用者が受付端末２で注文した写真の枚数などに応じた印刷料金を支払うために、硬貨および紙幣を投入する投入口を有する。課金部１７は、硬貨および紙幣を受け入れる機能と、投入口から投入された硬貨および紙幣を保持する機能とを有する。課金部１７は、投入口から投入された金額に対して、販売金額との差額である釣り銭がある場合は、釣り銭の返却処理を行う。
【００４４】
位置検出部１８は、自装置１が設置されている位置を検出する。位置検出部１８は、たとえば、全地球測位システム（Global Positioning System；略称：ＧＰＳ）による位置測定方法、インターネットプロトコル（Internet Protocol；略称：ＩＰ）アドレスによる位置測定方法、またはＷｉ−Ｆｉ基地局による位置測定方法などを用いて、画像出力装置１が設置されている位置（以下「画像出力装置１の位置」という場合がある）を検出する。
【００４５】
ＧＰＳによる位置測定方法が用いられる場合、位置検出部１８は、ＧＰＳ受信機を備える。ＧＰＳ受信機は、ＧＰＳ衛星から送信される電波信号を受信する。位置検出部１８は、ＧＰＳ受信機で受信した電波信号に基づいて、画像出力装置１の位置を検出する。
【００４６】
ＩＰアドレスによる位置測定方法が用いられる場合、位置検出部１８は、各プロバイダが利用者向けに提供しているＩＰアドレスとプロバイダの所在地情報とを対応付けるデータベースを予め記憶する。位置検出部１８は、制御部１９を介して、通信部１９がデータサーバ６と通信するときに付与されたＩＰアドレスを取得する。位置検出部１８は、予め記憶するデータベースと、取得したＩＰアドレスとに基づいて、画像出力装置１の位置を検出する。
【００４７】
Ｗｉ−Ｆｉ基地局による位置測定方法が用いられる場合、位置検出部１８は、制御部２０を介して、画像データ読取部１１に備えられるＷｉ−Ｆｉ接続モジュールを用いて、Ｗｉ−Ｆｉ基地局から送信される電波信号を観測し、Ｗｉ−Ｆｉ電測情報として取得する。Ｗｉ−Ｆｉ電測情報は、たとえばＭＡＣ（Media Access Control）アドレス情報、電界強度情報などである。位置検出部１８は、取得したＷｉ−Ｆｉ電測情報を、制御部２０および通信部１９を介してデータサーバ６に送信する。
【００４８】
データサーバ６は、予めＷｉ−Ｆｉ電測情報と既知の位置とを関連付けるデータベースを記憶する。データサーバ６は、通信部１９を介して位置検出部１８から受信したＷｉ−Ｆｉ電測情報と、予め記憶するデータベースとに基づいて、画像出力装置１の位置を推定し、推定した位置を表す位置情報を画像出力装置１の通信部１９に送信する。位置情報は、たとえば経度および緯度の情報、または住所情報などである。
【００４９】
通信部１９は、記憶部１２に記憶される定義データ２２の取得および更新を行うために、データサーバ６との通信を行う。通信部１９は、無線ＬＡＮ（Local Area Network）などの無線によって、データサーバ６と通信可能に接続されてもよいし、ＵＳＢ（Universal Serial Bus）などの有線によって、データサーバ６と通信可能に接続されてもよい。
【００５０】
通信部１９は、データサーバ６から受信した位置情報を、制御部２０を介して位置検出部１８に与える。位置検出部１８は、通信部１９から与えられた位置情報に基づいて、画像出力装置１の位置を認識する。このようにして、位置検出部１８は、Ｗｉ−Ｆｉ基地局による位置測定方法を用いて、画像出力装置１の位置を検出する。
【００５１】
位置検出部１８は、検出した画像出力装置１の位置を表す座標を位置情報として制御部２０に与える。座標は、たとえば緯度および経度を表す。座標は、緯度および経度に限らず、画像出力装置１の位置が特定できるものであればよい。
【００５２】
制御部２０は、受付端末２を構成する画像データ読取部１１、記憶部１２、印刷データ作成部１３、印刷データ送信部１４、入力兼表示部１５、音声出力部１６、課金部１７、位置検出部１８および通信部１９を統括的に制御する。制御部２０は、ＣＰＵ（Central Processing Unit）、ＲＯＭ（Read Only Memory）およびＲＡＭ（Random Access Memory）によって構成される。
【００５３】
制御部２０は、位置検出部１８から与えられる位置情報に基づいて、入力兼表示部１５に表示する背景画像および音声出力部１６から出力する音声ガイダンスを、記憶部１２に記憶される定義データ２２から選択する。制御部２０は、記憶部１２に記憶される制御プログラムに従って、定義データ２２を選択する。制御部２０は、入力兼表示部１５から与えられる指示信号に基づいて、入力兼表示部１５の表示画面に画像を表示するための情報処理を行う。制御部２０は、制御手段に相当する。
【００５４】
次に、画像出力装置１の動作について説明する。図２〜図５は、画像出力装置１における画像出力処理の処理手順を示すフローチャートである。図２〜図５に示すフローチャートの各処理は、画像データ読取部１１、印刷データ作成部１３、印刷データ送信部１４、課金部１７および制御部２０によって実行される。本発明の他の実施の形態である画像表示方法は、本実施の形態の画像出力装置１によって実行される。
【００５５】
画像出力装置１は、電源が投入されると、自装置１において利用可能なサービスの内容および案内を含むメニュー画面を入力兼表示部１５の表示画面に表示して、利用者の利用を促す。メニュー画面は、サービスの開始を指示するためのスタートボタンを含む。利用者が、スタートボタンが表示されている箇所を指で触れることによって、図２〜図５に示すフローチャートの処理が開始され、ステップＳ１に移行する。
【００５６】
本実施の形態では、画像データ読取部１１は、記録媒体５から画像データを読取るカードリーダなどの記録媒体読取装置と、無線通信または有線通信によって画像データを受信するデータ受信装置と、記録紙などに形成された画像を直接に読取るスキャナ装置とを備えるが、図２〜図５では、理解を容易にするために、画像データ読取部１１が記録媒体読取装置のみを備える場合の動作を一例として示す。
【００５７】
ステップＳ１において、画像データ読取部１１は、記録媒体読取装置に記録媒体５が挿入されたか否かを判断する。具体的には、画像データ読取部１１は、カードリーダのスロット、ディスクドライブまたはＵＳＢポートに、対応する記録媒体５が挿入されたか否かを判断する。記録媒体５が挿入されたと判断された場合は、ステップＳ２に移行し、記録媒体５が挿入されていないと判断された場合は、記録媒体５が挿入されるまで待機する。
【００５８】
ステップＳ２において、画像データ読取部１１は、記録媒体５に記録されている画像データ、および画像データに付加されている画像付加情報を読取る。読取られた画像データおよび画像付加情報は、制御部２０に与えられ、制御部２０によって記憶部１２に記憶される。ステップＳ２の画像データを読取る工程は、取得工程に相当する。ステップＳ２の処理が終了すると、ステップＳ３に移行する。
【００５９】
制御部２０は、画像データ読取部１１から画像データおよび画像付加情報が与えられると、与えられた画像データおよび画像付加情報を記憶部１２に記憶するとともに、ステップＳ３において、入力兼表示部１５の表示画面に、画像出力装置１において利用可能なサービスの一覧を表示する。
【００６０】
具体的には、ステップＳ３において、制御部２０は、記憶部２１に記憶される定義データ２２から、利用可能なサービスの一覧のデータを選択し、選択したデータを入力兼表示部１５に与えることによって、入力兼表示部１５の表示画面に、サービスの一覧を表示する。入力兼表示部１５は、制御部２０からサービスの一覧のデータが与えられると、与えられたサービスの一覧を表示画面に表示する。サービスの一覧が表示されると、ステップＳ４に移行する。
【００６１】
本実施の形態では、利用可能なサービスの一覧として、写真プリントサービス、インデックスプリントサービス、分割プリントサービス、証明写真サービスなどのプリントサービスの一覧が表示される。サービスは、これらに限定されるものではなく、他のサービスであってもよい。
【００６２】
ステップＳ４において、制御部２０は、利用者によってサービスが選択されたか否かを判断する。利用者は、入力兼表示部１５を構成するタッチパネルにおいて、所望のサービスの箇所に触れることによって、サービスを選択する。サービスが選択されたと判断された場合は、ステップＳ５に移行し、サービスが選択されていないと判断された場合は、サービスが選択されるまで待機する。
【００６３】
ステップＳ５において、制御部２０は、記憶部１２に記憶される定義データ２２から、選択されたサービスに対応する表示形態を表すデータを選択し、記憶部１２に記憶される画像データ２１とともに入力兼表示部１５に与える。これによって制御部２０は、選択されたサービスに対応する表示形態で、ステップＳ２で読取られた画像データが表す画像の一覧として画像のサムネイルを入力兼表示部１５の表示画面に表示する。
【００６４】
各画像のサムネイルは、その画像の印刷すべき枚数である印刷枚数とともに表示される。印刷枚数は、ステップＳ５で表示された状態では、たとえば１枚に設定されている。画像のサムネイルを表示する工程は、表示工程に相当する。画像のサムネイルを表示すると、図３のステップＳ６に移行する。
【００６５】
表示形態は、サービス毎に予め定められる。本実施の形態では、表示形態として、たとえば、画像の表示枚数、画像のサムネイルのサイズ、および画像の表示順序が定められる。画像の表示枚数、画像のサムネイルのサイズ、および画像の表示順序は、それぞれ複数の種類が定められ、入力兼表示部１５の表示画面に表示される。利用者は、たとえば、入力兼表示部１５の表示画面の所望する表示形態の箇所に触れることによって、表示形態を指定する。利用者に表示形態を指定させる工程は、指定工程に相当する。
【００６６】
図３のステップＳ６において、制御部２０は、現在の画像の表示枚数と異なる表示枚数が指定されたか否かを判断する。現在の画像の表示枚数と異なる表示枚数が指定されたと判断された場合は、ステップＳ７に移行し、現在の画像の表示枚数と異なる表示枚数が指定されていないと判断された場合は、ステップＳ８に移行する。
【００６７】
ステップＳ７において、制御部２０は、指定された表示枚数に応じて画像のサムネイルのサイズを変更する。画像のサムネイルのサイズを変更すると、ステップＳ８に移行する。
【００６８】
ステップＳ８において、制御部２０は、現在の画像のサイズと異なるサイズが指定されたか否かを判断する。現在の画像のサイズと異なるサイズが指定されたと判断された場合は、ステップＳ９に移行し、現在の画像のサイズと異なるサイズが指定されていないと判断された場合は、ステップＳ１０に移行する。
【００６９】
ステップＳ９において、制御部２０は、指定されたサイズに応じて画像のサムネイルのサイズを変更する。画像のサムネイルのサイズを変更すると、ステップＳ１０に移行する。
【００７０】
ステップＳ１０において、制御部２０は、現在の画像の表示順序と異なる表示順序が指定されたか否かを判断する。現在の画像の表示順序と異なる表示順序が指定されたと判断された場合は、ステップＳ１１に移行し、現在の画像の表示順序と異なる表示順序が指定されていないと判断された場合は、ステップＳ１２に移行する。
【００７１】
ステップＳ１１において、制御部２０は、指定された表示順序に応じて画像のサムネイルの表示順序を変更する。画像のサムネイルの表示順序を変更すると、ステップＳ１２に移行する。
【００７２】
ステップＳ１２において、制御部２０は、利用者によって画像が選択されたか否かを判断する。画像が選択されたと判断された場合は、図４のステップＳ１３に移行し、画像が選択されていないと判断された場合は、ステップＳ６に戻る。利用者に画像を選択させる工程は、選択工程に相当する。
【００７３】
図４のステップＳ１３において、制御部２０は、画像の編集または加工が指示されたか否かを判断する。画像の編集または加工が指示されたと判断された場合は、ステップＳ１４に移行し、画像の編集または加工が指示されていないと判断された場合は、ステップＳ１５に移行する。
【００７４】
ステップＳ１４において、制御部２０は、印刷データ作成部１３に、画像の編集処理または加工処理を行うように指示する。印刷データ作成部１３は、制御部２０の指示に従って、画像の編集処理または加工処理を行い、印刷データを作成する。画像の編集処理または加工処理を行うと、ステップＳ１５に移行する。
【００７５】
ステップＳ１５において、制御部２０は、現在の画像の印刷枚数と異なる印刷枚数が指定されたか否かを判断する。現在の画像の印刷枚数と異なる印刷枚数が指定されたと判断された場合は、ステップＳ１６に移行し、現在の画像の印刷枚数と異なる印刷枚数が指定されていないと判断された場合は、ステップＳ１７に移行する。
【００７６】
ステップＳ１６において、制御部２０は、選択された画像の印刷枚数を、指定された印刷枚数に変更するように、入力兼表示部１５および印刷データ作成部１３に指示する。入力兼表示部１５は、制御部２０の指示に従って、選択された画像の印刷枚数を、指定された印刷枚数に変更する。印刷データ作成部１３は、制御部２０の指示に従って、選択された画像の印刷データにおける画像の印刷枚数を、指定された印刷枚数に変更する。画像の印刷枚数を、指定された印刷枚数に変更すると、ステップＳ１７に移行する。
【００７７】
ステップＳ１７において、制御部２０は、利用者によって選択されたサービスと、画像の印刷枚数とに基づいて、プリントに必要な金額である料金を算出して、入力兼表示部１５に与えることによって、料金を入力兼表示部１５の表示画面に表示する。料金を入力兼表示部１５の表示画面に表示すると、ステップＳ１８に移行する。
【００７８】
ステップＳ１８において、制御部２０は、料金の支払い画面への移行が指示されたか否かを判断する。料金の支払い画面への移行が指示されたと判断された場合は、図５のステップＳ１９に移行し、料金の支払い画面への移行が指示されていないと判断された場合は、図３のステップＳ６に戻る。
【００７９】
図５のステップＳ１９において、制御部２０は、課金部１７に料金が投入されたか否かを判断する。利用者は、入力兼表示部１５の表示画面に表示された金額に基づいて、課金部１７の貨幣投入口から貨幣を投入することによって、料金を支払う。課金部１７は、貨幣が投入されると、投入された貨幣の金額（以下「投入額」という場合がある）を制御部２０に通知する。制御部２０は、課金部１７から通知される投入額と、料金とを比較し、投入額が料金以上であると判断すると、料金が投入されたと判断する。料金が投入されたと判断された場合は、ステップＳ２０に移行し、料金が投入されていないと判断された場合は、料金が投入されるまで待機する。
【００８０】
ステップＳ２０において、制御部２０は、釣り銭が発生するか否かを判断する。制御部２０は、課金部１７から通知される投入額と、料金とを比較することによって、釣り銭が発生するか否かを判断する。制御部２０は、投入額が料金を超えると判断すると、釣り銭が発生すると判断する。釣り銭が発生すると判断された場合は、ステップＳ２１に移行し、釣り銭が発生しないと判断された場合は、ステップＳ２２に移行する。
【００８１】
ステップＳ２１において、制御部２０は、課金部１７に釣り銭の返金処理を行うように指示する。課金部１７は、制御部２０の指示に従って、釣り銭の返金処理を行う。釣り銭の返金処理が完了すると、ステップＳ２２に移行する。
【００８２】
ステップＳ２２において、制御部２０は、印刷データ作成部１３に、作成した印刷データを印刷データ送信部１４に与えるように指示する。印刷データ作成部１３は、制御部２０の指示に従って、作成した印刷データを印刷データ送信部１４に与える。印刷データ送信部１４は、印刷データ作成部１３から印刷データが与えられると、与えられた印刷データをプリンタ３が取扱い可能なデータに変換し、プリンタ３に送信する。プリンタ３は、印刷データ送信部１４から印刷データが与えられると、画像の印刷処理を行う。このようにして画像の印刷処理が行われると、ステップＳ２３に移行する。
【００８３】
ステップＳ２３において、制御部２０は、印刷する画像として選択された全ての画像の印刷が正常に完了したか否かを判断する。制御部２０は、入力兼表示部１５に指示して、入力兼表示部１５の表示画面に、選択された全ての画像の印刷が正常に終了したか否かを確認する画面（以下「確認画面」という場合がある）を表示し、利用者の入力結果に基づいて、全ての画像の印刷が正常に終了したか否かを判断する。確認画面は、たとえば、選択された全ての画像のサムネイルと、印刷が正常に終了していない画像を選択するように指示する文字画像とを含む。
【００８４】
ステップＳ２３において、全ての画像の印刷が正常に完了したと判断された場合は、全ての処理手順を終了し、全ての画像の印刷が正常に完了していないと判断された場合は、ステップＳ２４に移行する。
【００８５】
ステップＳ２４において、制御部２０は、印刷が正常に完了しなかった画像の印刷処理を行う。具体的には、制御部２０は、確認画面で、印刷が正常に完了しなかった画像として選択された画像を印刷するように、印刷データ作成部１３および印刷データ送信部１４に指示する。印刷データ作成部１３および印刷データ送信部１４は、制御部２０の指示に従って、印刷が正常に完了しなかった画像として選択された画像を印刷する。印刷が正常に完了しなかった画像の印刷処理を行うと、ステップＳ２３に戻る。
【００８６】
以上のようにして全ての処理手順が終了すると、画像出力装置１は、制御部２０によって、再びメニュー画面を入力兼表示部１５の表示画面に表示させて、利用者の利用に待機する。利用者が、メニュー画面のスタートボタンが表示されている箇所に指で触れることによって、サービスの開始が指示される度に、図２〜図５に示すフローチャートの各処理が繰返し行われる。
【００８７】
図２〜図５では、前述のように、一例として画像データ読取部１１が記録媒体読取装置のみを備える場合の動作を示しているが、本実施の形態では、画像データ読取部１１は、記録媒体読取装置に加えて、データ受信装置とスキャナ装置とを備える。
【００８８】
したがって、具体的には、ステップＳ１では、画像データ読取部１１は、記録媒体読取装置に記録媒体５が挿入されたか否か、データ受信装置が画像データを受信したか否か、およびスキャナ装置による読取りが指示されたか否かを判断する。画像データ読取部１１は、記録媒体読取装置に記録媒体５が挿入されたと判断するか、データ受信装置が画像データを受信したと判断するか、またはスキャナ装置による読取りが指示されたと判断すると、ステップＳ２に移行し、それ以外の場合は待機する。
【００８９】
また、ステップＳ２では、画像データ読取部１１は、ステップＳ１でデータ受信装置が画像データを受信したと判断した場合は、受信した画像データおよびそれに付加されている画像付加情報を制御部２０に与え、記憶部１２に記憶させる。ステップＳ２でスキャナ装置による読取りが指示されたと判断した場合は、画像データ読取部１１は、スキャナ装置によって読取対象物を読取り、読取った画像を表す画像データと、読取った日時などを含む画像付加情報とを生成し、制御部２０に与え、記憶部１２に記憶させる。
【００９０】
次に、図２に示すフローチャートのステップ５の画像表示処理について説明する。前述のようにステップＳ５では、選択されたサービスに対応する表示形態で、画像のサムネイルが表示される。この画像のサムネイルが表示された画面を、以下の説明では「画像選択画面」という場合がある。
【００９１】
図６は、画像選択画面３０の一例を示す図である。利用者は、図６に示す画像選択画面３０において、画像の表示方法の指定と画像の選択とを行う。画像選択画面３０は、進捗表示領域３１と、フォルダ選択領域３２と、画像選択領域３３と、一括設定領域３４と、遷移ボタン領域３５とを含んで構成される。フォルダ選択領域３２および一括設定領域３４は、利用者が画像の表示条件を指定するための領域である。画像選択領域３３は、利用者が、印刷する画像を選択するための領域である。
【００９２】
進捗表示領域３１には、利用者に向けた操作のガイダンスが表示される。たとえば、「フォルダと画像を選択して下さい」などの、フォルダおよび画像の選択を利用者に促すメッセージが表示される。
【００９３】
フォルダ選択領域３２には、画像データ読取部１１で読取られた画像データのファイルが含まれるフォルダ３６の一覧、たとえば、利用者によって挿入された記録媒体５内にあるフォルダ３６の一覧が表示される。ここで表示されるフォルダ３６は、たとえば、デジタルカメラで写真を撮影した場合に一定の規則で自動的に作成されるフォルダ、および利用者が自ら作成するフォルダである。
【００９４】
フォルダ３６には、フォルダ３６内に含まれる画像のうちで代表となる画像（以下「代表画像」という場合がある）のサムネイルが重畳して表示される。これによって、フォルダ３６内に含まれる画像を利用者に通知することができる。またフォルダ３６には、そのフォルダの名称が重畳して表示される。
【００９５】
フォルダ３６の一覧の表示方法としては、たとえば、フォルダ３６の名称のあいうえお順などのファイル名順、およびフォルダ３６内に含まれる画像の撮影日毎にフォルダを分けて表示するフォルダ日付順がある。フォルダ選択領域３２には、ファイル名順を指定するファイル名順ボタン３７と、フォルダ日付順を指定するフォルダ日付順ボタン３８とが表示される。利用者は、ファイル名順ボタン３７およびフォルダ日付順ボタン３８のいずれかのボタンが表示されている部分に触れることによって、フォルダ３６の一覧の表示方法を任意に切り替えることができる。
【００９６】
フォルダ３６の一覧の表示方法は、記録媒体５から読取られた画像データに付加されている画像付加情報に基づいて切り替えることもできる。たとえば、撮影カメラ別、または画像のサイズ別に、フォルダ３６を表示するようにしてもよい。フォルダ３６の表示方法は、画像付加情報から得られる情報に基づくものであればよく、ファイル名順およびフォルダ日付順に限定されるものではない。
【００９７】
また、フォルダ選択領域３２には、全てのフォルダ３６の選択を指示する全フォルダ選択ボタン３９と、フォルダ３６の選択の解除を指示するフォルダ選択解除ボタン４０とが表示される。利用者は、全フォルダ選択ボタン３９が表示されている部分に触れることによって、全てのフォルダ３６を選択することができる。また利用者は、フォルダ選択解除ボタン４０が表示されている部分に触れることによって、その時点で選択されているフォルダ３６を選択状態から非選択状態にして、選択を解除することができる。
【００９８】
画像選択領域３３には、フォルダ選択領域３２で選択されたフォルダ３６内の画像のみが表示される。利用者は、フォルダ選択領域３２において、選択したい画像が入ったフォルダ３６を選択することによって、そのフォルダ３６内に含まれる画像を画像選択領域３３に表示させることができる。これによって利用者は、所望の画像を選択することができる。
【００９９】
選択されたフォルダ３６では、代表画像のサムネイルが非表示となる。これによって、空フォルダとなっていること、すなわちフォルダ３６内に含まれる画像が取出されて画像選択領域３３に表示されていることを利用者に通知することができる。利用者は、フォルダ３６に代表画像のサムネイルが表示されているか否かに基づいて、そのフォルダ３６内の画像が画像選択領域３３に表示されているか否かを判断することができる。
【０１００】
画像選択領域３３には、たとえば、４行×１１列の４４個の画像が表示される。この場合、画像は、縮小されて、サムネイルとして表示される。利用者は、所望の画像が表示されている部分に触れることによって、所望の画像を選択することができる。選択された画像４１は、選択されていることが認識できる状態、本実施の形態では白枠で囲まれた状態で表示される。選択されていない画像４２は、白枠で囲まれていない状態で表示される。
【０１０１】
利用者は、所望の画像を選択した後は、フォルダ選択領域３２に表示されている空フォルダを再度選択することによって、所望の印刷枚数を保持したまま、画像をフォルダ３６に収納することができる。
【０１０２】
画像選択領域３３に表示することができる画像の数に制限はない。たとえば、利用者は、フォルダ選択領域３２に表示される全フォルダ選択ボタン３９に触れて、全てのフォルダ３６を選択することによって、画像読取部１１で読取られた画像、たとえば記録媒体５内の全ての画像を画像選択領域３３に表示することができる。また、利用者は、表示したいフォルダ３６に触れて、そのフォルダ３６のみを選択することによって、表示したい画像の分類をすることができる。これに限定されず、フォルダ３６を１つずつ画像の選択と収納とを繰返し、印刷する画像を選択することも可能である。
【０１０３】
画像出力装置１は、フォルダ選択領域３２で選択されたフォルダ３６内の画像を画像選択領域３３に表示するときには、選択されたフォルダ３６内の画像が常に画像選択領域３３の中心部に表示されるように、制御部２０によって入力兼表示部１５に指示する。これによって、利用者が、選択したフォルダ３６内の画像が画像選択領域３３内のどの部分に表示されているかを探す手間を省くことができるので、利用者の操作の連続性を担保することができる。
【０１０４】
また、選択されたフォルダ３６内の画像を画像選択領域３３に表示するとき、または画像の表示を止めるときには、フォルダ３６から画像選択領域３３に画像が取出されていること、またはフォルダ３６に画像が収納されていることを表すアニメーションが付加される。
【０１０５】
たとえば、フォルダ選択領域３２のフォルダ３６が選択されたときには、フォルダ３６から画像選択領域３３に画像が飛出す様子を表すアニメーションが付加される。また、空のフォルダ３６が選択された場合には、画像選択領域３３からフォルダ３６に画像が収納される様子を表すアニメーションが付加される。
【０１０６】
これによって、フォルダ３６と画像選択領域３３との間の画像の移動を利用者に明確に通知することができる。利用者は、選択したフォルダ３６内の画像が画像選択領域３３のどこに表示されているかを判別し易くなり、画像の選択操作が容易になるとともに、視覚的にも画像を選択する操作を楽しむことができる。
【０１０７】
一括設定領域３４には、画像選択領域３３に表示された画像の数である画像表示数の変更を指示する表示数変更ボタン４６、および画像選択領域３３における画像の表示順の変更を指示する画像並べ替えボタン４７が表示される。表示数変更ボタン４６は、比較的多数の画像の表示を指示する多数表示ボタン４３と、比較的少数の画像の表示を指示する少数表示ボタン４５と、多数表示ボタン４３で表示される数と少数表示ボタン４５で表示される数との中間程度の数の画像の表示を指示する中程度表示ボタン４４とを含む。
【０１０８】
画像選択領域３３では、画像表示数に応じて異なる大きさで画像が表示される。画像表示数が比較的多数である場合、比較的小さいサイズの画像が表示されるので、多数表示ボタン４３は、比較的小さいサイズの画像の表示を指示する小サイズ表示ボタンとしても機能する。画像表示数が比較的少数である場合、比較的大きいサイズの画像、たとえばＬサイズに相当するサイズの画像が表示されるので、少数表示ボタン４５は、比較的大きいサイズの画像の表示を指示する大サイズ表示ボタンとしても機能する。
【０１０９】
画像表示数が中程度である場合、中程度のサイズの画像が表示されるので、中程度表示ボタン４４は、中程度のサイズの画像の表示を指示するボタンとしても機能する。このように、表示数変更ボタン４６は、画像サイズ変更ボタンとしても機能する。
【０１１０】
また一括設定領域３４には、選択された画像の印刷枚数を設定する枚数設定ボタン４８、選択された全ての画像の印刷枚数を一括して設定する枚数一括設定ボタン４９、画像とともに写真５に印刷する日付を設定する日付設定ボタン５０、および、選択された画像の印刷枚数を利用者が手書きで入力するモードを選択するための枚数手書きボタン５１が表示される。
【０１１１】
また一括設定領域３４には、画像読取部１１によって、他の記録媒体５であるメディアから画像データを読取って追加することを指示するメディア追加ボタン５２が表示される。また一括設定領域３４には、画像の選択の解除を指示する選択リセットボタン５３が表示される。
【０１１２】
遷移ボタン領域３５には、画像の選択を終えて次に進む場合に利用者によって触れられるボタン、たとえば注文確定ボタン５５、前の画面に戻る場合に利用者によって触れられるボタン、たとえば戻るボタン５４などの画面遷移ボタンが表示される。遷移ボタン領域３５の中央部には、印刷する写真５のサイズを表すプリントサイズ５６、画像の選択枚数５７、および、料金の合計金額５８が表示される。
【０１１３】
利用者は、注文自体をキャンセルする場合には、前述の進捗表示領域３１に表示される注文キャンセルボタン６０に触れればよい。進捗表示領域３１には、表示モード切替ボタン５９も表示される。表示モード切替ボタン５９に利用者が触れることによって、画像選択画面３０の表示モードが切替えられる。
【０１１４】
次に、画像選択領域３３に表示された画像の画像表示枚数の変更操作について説明する。図７は、画像選択画面３０の画像選択領域３３に表示された画像の画像表示数を変更する動作の一例を示す図である。
【０１１５】
画像選択画面３０は、当初の状態、たとえば前述の図２に示すステップＳ５の処理によって表示された状態では、画像選択領域３３に、たとえば、図７に示すように、４行×１１列の４４個の画像が表示されている。画像選択領域３３に表示される画像の数である画像表示数は、変更可能である。図７に示す例では、一括設定領域３４に表示される表示数変更ボタン４６を構成する３つのボタン４３，４４，４５によって、３段階に画像表示数を変更することができる。
【０１１６】
また、入力兼表示部１５として、マルチタッチ対応のタッチパネルが使用される場合は、利用者は、画像表示数を変更する操作として、ピンチアウト操作またはピンチイン操作を用いることができる。ピンチアウト操作とは、入力兼表示部１５の表示画面にタッチする、すなわち触れる利用者の２本の指の間隔Ｗを広げる動作である。ピンチイン操作とは、入力兼表示部１５の表示画面にタッチする利用者の２本の指の間隔Ｗを狭める操作である。
【０１１７】
図８は、図７においてピンチアウト操作が行われた後の画像選択画面３０の状態を示す図である。図７に示す画像選択画面３０の画像選択領域３３において、利用者が、注目画像６１付近で表示画面に触れている２本の指の間隔Ｗを広げるようにピンチアウト操作を行った場合、図８に示すように、画像選択領域３３における画像表示数が変更される。具体的には、画像選択領域３３における画像表示数は、３行×８列の２４個に減少される。
【０１１８】
図９は、図８においてピンチアウト操作が行われた後の画像選択画面３０の状態を示す図である。図８に示す画像選択画面３０の画像選択領域３３において、利用者が、再度、注目画像６１付近で表示画面に触れている２本の指の間隔Ｗを広げるようにピンチアウト操作を行った場合、図９に示すように、画像選択領域３３における画像表示数は、約３個に減少される。
【０１１９】
このように画像選択領域３３に表示された画像の数を変更するときには、制御部２０は、利用者によって選択されている画像、またはピンチアウト操作またはピンチイン操作が検知された位置に表示されていた画像が、常に画像選択領域３３の中心部に表示されるように、画像の表示形態、たとえば画像のサイズおよび表示順序などを変更する。これによって、画像選択領域３３における表示の連続性を保つことができる。したがって、利用者が選択中の画像を表示画面内で見失いにくくすることができるので、画像表示数の変更後に画像を探す煩わしさを低減することができる。
【０１２０】
図７〜図９に示す画像選択領域３３における画像の表示枚数の変更に伴い、画像選択領域３３に表示されている画像のサイズも変更になる。したがって、ピンチアウト操作およびピンチイン操作は、画像選択領域３３に表示される画像のサイズを変更する操作としても機能する。
【０１２１】
具体的には、ピンチアウト操作によって、画像選択領域３３に表示される画像を拡大することができる。またピンチイン操作によって、画像選択領域３３に表示される画像を縮小することができる。
【０１２２】
このようにピンチアウト操作またはピンチイン操作によって、画像選択領域３３に表示される画像のサイズが変更される場合、前述の画像の表示枚数を変更する場合と同様に、制御部２０は、表示画面の連続性を保ったまま、ピンチアウト操作またはピンチイン操作が検知された位置に表示されていた画像を、サイズを変更して、画像選択領域３３の中心部に表示するように、入力兼表示部１５に指示する。これによって、画像の表示枚数を変更する場合と同様の効果を得ることができる。
【０１２３】
画像選択領域３３に表示されている画像は、一括設定領域３４の画像並べ替えボタン４７によって、表示順序を変更することができる。画像の並べ替えの種類としては、撮影日付の新しい順または古い順、およびファイル名の昇順または降順などがある。画像の並べ替えを行う種類については、これに限定する必要はない。この画像の並べ替え機能は、画像選択領域３３に表示されている画像にのみ機能する。画像の並べ替え機能は、たとえば、複数のフォルダ３６を選択して画像選択領域３３に表示させた場合に、撮影日付の新しい順で並べ替えたいときなどに有効である。
【０１２４】
以上のように本実施の形態によれば、画像出力装置１は、利用者が表示したい画像の表示条件に対応する画像の一覧を、単一の画像選択画面３０内に表示するので、利用者は、画面遷移を行わせることなく、所望の画像を選択することができる。したがって、利用者の利便性に優れ、利用者が所望の画像を選択するまでに要する時間を短縮することができる画像出力装置１を実現することができる。
【０１２５】
また本実施の形態の画像出力装置１では、画像の表示枚数またはサイズが変更される場合、制御部２０は、利用者が選択中の画像、または変更操作が検出された位置に表示されていた画像を、常に画像選択領域の中心部に表示するように、入力兼表示部１５に指示する。これによって、利用者が所望の画像を見失うことが起こりにくくなるので、利用者の操作性を向上させることができる。
【０１２６】
また本実施の形態の画像出力装置１では、画像選択画面３０内において変更される画像の一覧の表示形態は、画像が表示される個数、各画像のサイズ、および画像の表示される順序の少なくとも１つである。これらの表示形態を変更することによって、利用者が所望の画像を容易に見つけることができるので、これらの表示形態を変更しない場合に比べて、利用者の操作性を向上させることができる。
【０１２７】
本発明の実施の他の形態は、コンピュータを、画像データ読取部１１、入力兼表示部１５および制御部２０として機能させるための画像表示プログラムである。このような画像表示プログラムをコンピュータによって読取らせてそのコンピュータで実行させることによって、コンピュータを、前述の画像データ読取部１１、入力兼表示部１５および制御部２０として機能させることができる。これによって、本実施の形態の画像出力装置１と同様の効果を達成することができる。
【０１２８】
なお、本発明は、その発明の範囲内において、実施の形態の任意の構成要素を適宜、変更または省略することが可能である。
【符号の説明】
【０１２９】
１  画像出力装置、２  画像データ受付端末装置（受付端末）、３  プリンタ、４  写真、５  記録媒体、６  データサーバ、１１  画像データ読取部、１２  記憶部、１３  印刷データ作成部、１４  印刷データ送信部、１５  入力兼表示部、１６  音声出力部、１７  課金部、１８  位置検出部、１９  通信部、２０  制御部、２１  画像データ、２２  定義データ、２３  画質調整データ、３０  画像選択画面、３１  進捗表示領域、３２  フォルダ選択領域、３３  画像選択領域、３４  一括設定領域、３５  遷移ボタン領域。
【図１】
2014089655.tif 000003
【図２】
2014089655.tif 000004
【図３】
2014089655.tif 000005
【図４】
2014089655.tif 000006
【図５】
2014089655.tif 000007
【図６】
2014089655.tif 000008
【図７】
2014089655.tif 000009
【図８】
2014089655.tif 000010
【図９】
2014089655.tif 000011